Podtech/llm-jp-corpus-v4-ja_patent huggingface dataset:
(57)【要約】      （修正有）【課題】車のシート構造によって出来る凹凸を完全になくしフラットにすることによって快適な車空間を提供する。【解決手段】車のシート３のシート構造上できる凹凸に合わせて設計したマットレスの上にマットレスを乗せることによって凹凸を感じなくする【選択図】図２
0003122789.tif 000002
【実用新案登録請求の範囲】
【請求項１】
車のシートの構造上できるそれぞれの凹凸にあわせて作ったことを特徴とするマットレス。
【請求項２】
前記マットレスは、車のシートをフラット状態にしたときに車のシート構造によってできる凹凸を埋めるために敷くことを特徴とする請求項１記載のマットレス。
【考案の詳細な説明】
【技術分野】
【０００１】
この考案は、車のシートをフラット状態にしたときに敷くマットレスの形状に関する。
【背景技術】
【０００２】
【特許文献１】特許開平９−２８５３６４号
【特許文献２】実登３０８２１５３号
【０００３】
従来の車のシートに敷くマットレスは、図３に示すように、車のシート3の上に敷くだけの為に作られた  マットレスが設けられたものである。
【０００４】
また、例えば、特許開平９−２８５３６４号公報に開示されているような車両用マットも知られている。この車両用マットは図４に示すように、マット４の上面６を平らにして、下面５が車のシートの凹凸に沿う形状とされている。
【０００５】
また、例えば、実登３０８２１５３号広報に開示されているようなクッションマットも知られている。このクッションマットは図５に示すように乗用車のフロントシート１０をリクライニングした時にできるフロントシート１０と後席１１との段差を埋めるクッション９と、フロントシート１０の腰の部分を埋めるクッション８とで構成された車内安眠用寝具である。
【考案の開示】
【考案が解決しようとする課題】
【０００６】
しかし従来のマットレスだと車のシートをフラットにしたときにシートの構造上でできる凹凸によって十分に快適ではない問題があった。
【０００７】
また、前記特許開平９−２８５３６４号公報記載の車両用マットはシート全体でシートの凹凸形状に沿う形状としているので、実際は車の車種やシートの構造の違いによって、それぞれの個別の車にマットを開発しなければならないという問題があった。
【０００８】
また、実登３０８２１５３号広報記載のクッションマットは、フロントシートをリクライニングしたときは、運転席と助手席の間に隙間ができてしまう問題があった。さらにほとんどの車においてシートをフラットにしたときにフロントシートの背もたれを、後席の座面と平行になる位置まで倒すことによって段差は解消されている。
【０００９】
本発明は以上の点に鑑み柔軟に対応することによって、車のシート構造によってできる凹凸を完全になくしフラットにすることによって快適な車空間を提供することを課題とする。
【課題を解決するための手段】
【００１０】
以上の課題を解決するために、第一考案は、車のシートの構造上できるそれぞれの凹凸にあわせて形状を設計することを特徴とするマットレスである。
また、第二考案は、車をフルフラットにしたときのシートの構造上できる凹凸に合わせて設計されていることを特徴とするマットレスである。
【考案の効果】
【００１１】
第一考案、または第二考案によれば、車のシートをフルフラットにしたときにできる。シート構造によってできる凹凸にあわせて設計したので、シートによる凹凸感はまったく感じられず快適なフラット状態になる。またシートの構造によってフラットにしたときできる凹凸をうめるように設計するため同じ構造をしたシートなら同様に埋めることができる。
【考案を実施するための最良の形態】
【００１２】
この発明の一実施形態を、図２に示す。
マットレスのタイラー君はウレタン製で、このタイラー君は、車のシート３のシート構造上できる。凹凸に対して設計されている。
【００１３】
[実施形態の効果]この実施形態によれば、タイラー君の凹凸を埋める作用と、その上に敷いたマットレ君がより快適でフラットに近い感覚の環境に感じられ、よりリラックスできる車空間を演出できる。
【００１４】
[他の実施形態]図１の実施形態では、タイラー君の材質は、ウレタンとしたが、他の実施形態では、タイラー君の材質は同程度の硬さややわらかさのゴムや発砲スチロールなどでも良い。
【図面の簡単な説明】
【００１５】
【図１】この発明の一実施形態を示す本体を横から見た図である。
【図２】この発明の一実施形態の全体を横から見た図である
【図３】従来技術を示す斜視図である。
【図４】従来技術を示す斜視図である。
【図５】従来技術を示す斜視図である。
【符号の説明】
【００１６】
１  タイラー君          
２  マットレ君        
３  車のシート
４  車両用マット
５  車両用マット下面
６  車両用マット上面
７  空気栓
８  前席用クッション
９  後席用クッション
１０  前席
１１  後席
【図１】
0003122789.tif 000003
【図２】
0003122789.tif 000004
【図３】
0003122789.tif 000005
【図４】
0003122789.tif 000006
【図５】
0003122789.tif 000007
【手続補正書】
【提出日】平成17年7月29日(2005.7.29)
【手続補正１】
【補正対象書類名】実用新案登録請求の範囲
【補正対象項目名】請求項１
【補正方法】変更
【補正の内容】
【請求項１】
車のシートの構造によってできる凹凸にあわせて作ったことを特徴とした、三角柱状に作られ外側を綿素材でカバーリングしたウレタン素材のマットレス。
(57)【要約】      （修正有）【課題】折り目が付かず耐光性、耐水性に優れたカラー画像を有するスチール製黒板に適宜貼り付けて使用できる教材用掛図を安価に提供する。【解決手段】インクジェット記録用クロスの上にインクジェットプリンタで所定の画像を印字した画像クロス２の上（下）に捲回用の軸棒３を取り付け、この軸棒３の裏面にマグネットテープ３１を貼り付ける。マグネットテープ３１は軸棒３に貼り付けられた画像クロス２の上にクッション材３２を介して接着剤３３で接合されている。【選択図】 図３
0003122753.tif 000002
【実用新案登録請求の範囲】
【請求項１】
インクジェット記録用クロスの上にインクジェットプリンタで所定の画像を印字した画像クロスの上下に捲回用の軸棒を取り付け、該軸棒の裏面にマグネットテープを貼り付けたことを特徴とする教材用の掛図。
【請求項２】
上記画像は顔料インクによって印字されていることを特徴とする請求項１に記載の教材用の掛図。
【考案の詳細な説明】
【技術分野】
【０００１】
本考案は、教材用として黒板等に貼り付けて使用するに適した掛図、特に、図像の両端に軸棒を取付け捲回して保存することができる掛図に関する。
【背景技術】
【０００２】
教材用の掛図は地図や文字等の画像を紙や布からできた生地に印刷し、その両端に軸棒を取付け捲回して保存できるようにしたものである。
【０００３】
ところが、地図や文字等の画像の教材は、時代と共にその内容や名称等が変更されることがままあり、そのたびに印刷し直さなければならないので製作費が嵩み採算が合わない等の問題があった。
【０００４】
本考案は、少量、多品目の画像を有する教材の製作に適した掛図を提供することを第１の目的とする。
【０００５】
本考案は、授業中に金属製の黒板に随時貼り付けて使用することのできる掛図を提供することを第２の目的とする。
【考案の開示】
【課題を解決するための手段】
【０００６】
本考案の教材用の掛図は、インクジェット記録用クロスの上にインクジェットプリンタで所定の画像を印字した画像クロスの上下に捲回用の軸棒を取り付け、この軸棒の裏面にマグネットテープを取り付けたことを特徴とする。
【０００７】
インクジェット記録用クロスは蛍光材料等の白色化剤を含むポリエステル繊維等の布帛に印字しやすいように薬品によるコート層を表面に設けた布地で、折り曲げても折り目が付かない、鮮明なからカラー画像がプリントできる、耐水性、耐久性に優れている等の優れた特長を持っている。
【０００８】
インクジェットプリンタ用のインクに顔料インクを使用すれば、特にフルカラーの場合には鮮明な画像が得られ、しかも耐光性、耐久性に優れ、色あせしない画像が得られるので、教材用の画像の掛図としては極めて優れたものが得られる。
【０００９】
更に、本考案の掛図は、捲回用の軸棒の裏面にマグネットシートが取り付けられているので、広げた状態の掛図をスチール製の黒板にそのまま貼り付けることができる。
【考案の効果】
【００１０】
（１）本考案の教材用の掛図は、インクジェットプリンターで画像を印字できるので、少量、多品種の教材の作成においても、迅速にしかも採算性良く製造することができる。
【００１１】
（２）本考案の教材用掛図は、インクジェット記録用クロスを使用しているので、折り曲げても折り目が付かず、耐水性に優れているので水拭きができ、しかも耐久性に優れているので長期使用が可能になる。
【００１２】
（３）本考案の教材用掛図は、顔料インクを用いて印字されているので、色彩の鮮やかなフルカラー画像が得られ、しかも画像の耐光性、耐久性が高いので、何時までも色あせせずに使用することができる。また、耐水性も高いので、汚れた場合、水でその汚れを拭き取ることができる。
【００１３】
（４）本考案の教材用掛図は、軸棒にマグネットシートが取り付けられているので、授業中、必要に応じてスチール製の黒板に貼り付けて使用することができるので、授業の教育効果を高めることができる。また、上部に吊り金具が付いているので、常時掲示用としても利用できる。
【００１４】
（５）本考案の教材用掛図は、軸棒に捲回してしまうことができるので、収納効果を高めることができる。
【考案を実施するための最良の形態】
【００１５】
本考案の最良の実施形態を次の実施例によって説明する。
【実施例１】
【００１６】
本考案の教材用掛図１は、図１および図２に示されるように、インクジェット記録用クロスの上にインクジェットプリンタで所定の画像２１を印字した画像クロス２の上下に捲回用の軸棒３、４を取り付け、該軸棒の裏面にマグネットテープ３１、４１を貼り付けたものである。
【００１７】
上側の軸棒３はアルミの中空棒材でできている。マグネットテープ３１は粉末状のフェライトをポリオレフィン系コポリマやバインダー樹脂の中に分散させた複合体で、可撓性であり、接着剤で金属や合成樹脂に接合できる。図３に示されるように、マグネットテープ３１は棒材３に貼り付けた画像クロス２の上にクッション材３２、例えばポリウレタン等を介して接着剤３３で接合されている。
【００１８】
下側の軸棒４もアルミの中空棒材でできている。図４に示すようにマグネットテープ４１は棒材４に貼り付けた画像クロス２の上にクッション材４２を介して接着剤４３で接合されている。クッション材４２を介在させることによって、教室用の湾曲黒板に対してもその反りにそって貼り付けることができる。
【００１９】
図５に示されるように、上側の軸棒３の中央には吊り下げ用の金具３４がビス３５で軸棒３に固定されている。金具３４は三角形をした係止金具３４１とこの金具３４１を回動自在に結合する回動部３４２を備えた固定金具３４３とより構成されている。
【００２０】
本考案の教材用掛図１は上記のように構成されているので、授業中に必要に応じてこの掛図を広げてスチール製の黒板に貼り付けて解説することができるので授業の教育効果を高めることができる。
【図面の簡単な説明】
【００２１】
【図１】本考案の教材用掛図の正面図。
【図２】本考案の教材用掛図の背面図。
【図３】図１のＡ−Ａ線による上側の棒材の断面図。
【図４】図１のＡ−Ａ線による下側の軸棒の断面図。
【図５】図１のＢ−Ｂ線による吊り下げ金具の断面図。
【符号の説明】
【００２２】
１  教材用掛図
２  画像クロス
３  軸棒
３１  マグネットシート
４  軸棒
４１  マグネットシート
【図１】
0003122753.tif 000003
【図２】
0003122753.tif 000004
【図３】
0003122753.tif 000005
【図４】
0003122753.tif 000006
【図５】
0003122753.tif 000007
(57)【要約】【課題】簡易に、且つ、茶等の味と香りを十分に抽出でき、使用後に可燃ゴミとして捨てることができる茶抽出器をつくるのが目的である。【解決手段】抽出用の外側容器の紙製等のコップ１と、底面に茶漉し用の複数の小穴６、側面に溢れ防止用の複数の小穴５を設けた紙製等の内側濾過用穴開きカップ４を組み合せて、簡易に本格的な茶等を抽出できるようにした。【選択図】図２
0003122793.tif 000002
【実用新案登録請求の範囲】
【請求項１】
外側容器のコップと内側濾過用穴開きカップの２種類の容器を組み合わせた茶抽出器。
【請求項２】
外側容器のコップと内側濾過用穴開きカップの２種類の容器には紙等の可燃性を有する素材を使用する。
【請求項３】
内側濾過用穴開きカップには底面に茶漉し用の複数の小穴を設け、側面に溢れ防止用の複数の小穴を設ける。
【考案の詳細な説明】
【技術分野】
【０００１】  本考案は、外側容器のコップと内側濾過用穴開きカップの２種類の容器を組み合わせ、簡易に茶を抽出することができる使い捨て茶器に関するものである。
【背景技術】
【０００２】  従来の使い捨て簡易コップはコップの内部空間を上下に仕切り、上下両空間を連通する開口を有した底縁部材を取り付けたものだった。
【考案の開示】
【考案が解決しようとする課題】
【０００３】  従来は、湯を注ぎ入れた際の茶葉等の対流による稼動範囲と湯の浸透による膨らみを規制してしまい、茶等の味と香りを十分に抽出することができなかった。
【課題を解決するための手段】
【０００４】  外側容器のコップ内部空間に茶葉等を入れ、湯を注ぎコップ内部空間全体を使って十分に茶等を抽出した後、内側濾過用穴開きカップを差込み濾過すると共に、茶葉等と溶出液とを絶縁する。
【考案の効果】
【０００５】  本考案を使用することによって、従来の急須で入れたものに限りなく近い味と香りを有する茶等を抽出することができ、内側濾過用穴開きカップを差込み後は茶葉等と溶出液とを絶縁するので時間が経過しても茶等が濃くなり過ぎる事を防止できた。
また、飲み終えた容器は可燃ゴミとしてそのまま捨てることができる。
【考案を実施するための最良の形態】
【０００６】  以下、本考案の実施の形態について説明する。
内側濾過用穴開きカップ４の底面に茶漉し用の小穴６を設け、側面に溢れ防止用の小穴５を設ける。飲み易さを考慮し、内側濾過用穴開きカップ４は外側容器のコップ１より少し小さくするとよい。
その茶漉し用の小穴６と溢れ防止用の小穴５の形状と数量は、どのようなのが理想かを実験し、理論づけした結果、内側濾過用穴開きカップ４の底面と側面に設けることが最上である。
【図面の簡単な説明】
【０００７】
【図１】  内側濾過用穴開きカップを外側容器のコップに差込む前の本考案の姿図
【図２】  内側濾過用穴開きカップを外側容器のコップに差込み後の本考案の姿図
【符号の説明】
【０００８】  １  外側容器のコップ
２  茶葉等
３  茶等の溶出液
４  内側濾過用穴開きカップ
５  溢れ防止用の小穴
６  茶漉し用の小穴
【図１】
0003122793.tif 000003
【図２】
0003122793.tif 000004
【手続補正書】
【提出日】平成17年12月20日(2005.12.20)
【手続補正１】
【補正対象書類名】実用新案登録請求の範囲
【補正対象項目名】全文
【補正方法】変更
【補正の内容】
【実用新案登録請求の範囲】
【請求項１】
外側容器のコップと内側濾過用穴開きカップの２種類の容器を組み合わせた茶抽出器。
【請求項２】
請求項１記載の外側容器のコップと内側濾過用穴開きカップは紙等の可燃性を有する素材を使用する。
【請求項３】
請求項１または請求項２記載の内側濾過用穴開きカップには底面に茶漉し用の複数の小穴を設け、側面に溢れ防止用の複数の小穴を設ける。
【手続補正書】
【提出日】平成18年3月15日(2006.3.15)
【手続補正１】
【補正対象書類名】実用新案登録請求の範囲
【補正対象項目名】全文
【補正方法】変更
【補正の内容】
【実用新案登録請求の範囲】
【請求項１】
外側容器のコップと内側濾過用穴開きカップの２種類の容器を組み合わせた茶抽出器。
【請求項２】
外側容器のコップと内側濾過用穴開きカップには紙等の可燃性を有する素材を使用することを特徴とした請求項１記載の茶抽出器。
【請求項３】
内側濾過用穴開きカップには底面に茶漉し用の複数の小穴を設け、側面に溢れ防止用の複数の小穴を設けることを特徴とした請求項１または請求項２記載の茶抽出器。
(57)【要約】      （修正有）【課題】高速道路、自動車専用道路、駐車場、一方通行路など、出口が低速走行を要し、誤って進入して来る車輌などに警告して気づかせて事故防止を図る。【解決手段】一方（１）が他方（２）より長い斜面で構成される枕状の構造体である。（１）には減速表示を設け、（２）には  進入禁止表示等を設ける。夜間等の視認性も有する。本体には、道路への固定部ももうける。枕状の構造で一方が他方より長い斜面で構成されるバリアである。本体（１）の斜面に減速表示を設け、本体（２）の斜面には進入禁止等の表示を設けてある。本構造体を道路上に設置して使用する。【選択図】図１
0003122792.tif 000002
【実用新案登録請求の範囲】
【請求項１】
車が通る所に設置する障害物（バリア）である。片側（１）が他方（２）より長い斜面より構成される枕状の構造を有するものである。（１）の斜面には減速表示を設け、（２）の斜面には侵入禁止等の表示を設け、表示内容は交換可能なものである。夜間等の視認性も有する。
【請求項２】
構造体は、新規のゴム等の樹脂製のみならず、これらのリサイクル材料も使用し、耐久性を有するものとする。
【請求項３】
表示部は、発光ダイオード、その他視認性にすぐれ、耐久性を有する物を使用する。
【考案の詳細な説明】
【技術分野】
【技術分野】
【０００１】この発明は、高速道路、自動車専用道路、駐車場などの出口で車が減速を要するところや、一方通行などの所に設置するものである。
減速を促すと同時に、誤って進入してきた車に対して、視覚的と同時に体感的にその進入禁止をうったえて、事故防止を図るものである。
【背景技術】
【背景技術】
【０００２】従来の物は単に減速を促すだけの枕状の物で、逆走を防止するような要素は含んでいない。
【考案の開示】
【考案が解決しようとする課題】
【０００３】従来、高速道路、自動車専用道路、駐車場などで、一方通行を要するところで出口へ向かうところでは適度に減速しなければならない。このような所に減速を促す障害物（バリア）は設置されておらず
又これらの出口に誤って侵入して来た車輌に対しては、進入禁止の表示等があるのみで、その表示を見逃せば逆走に気づく術がない。
よって本発明は、事故防止を図る上で、これらの欠点を除くためになされたものである。
【課題を解決するための手段】
【０００４】枕状の構造で一方が他方より長い斜面で構成されるバリアである。
図１の本体（１）の斜面に減速表示を設け、本体（２）の斜面には進入禁止等の表示を設けてある。本構造体を道路上に設置して使用しその効果を期待するものである。
【考案の効果】
【０００５】以下、本発明の実施の形態について説明する。
（イ）枕状のバリアで一方が他方より長い斜面で構成される。
（ロ）長い方の斜面には減速表示をする。
（ハ）短い方の斜面には侵入禁止等の表示をし、表示内容は交換可能。
（ニ）本体を道路に固定して使用する。
（ホ）夜間等暗い時の視認性も有する。
【考案を実施するための最良の形態】
【考案の効果】
【０００６】このような形状、表示をすることにより、段差による体感と、表示による二重の警告とで、出口への適切な減速をうながし、又、誤って逆走し、進入してきた車輌へは、体でじかにその間違いを感じると同時に、表示による警告で確実に逆走を防止できる。これにより正面衝突などの事故防止を図ることができる。
【図面の簡単な説明】
【０００７】
【図１】本考案を示した形状図である。
【図２】本考案の使用例を示した図である。
【符号の説明】
【０００８】１．  図面中の（１）は、一方が他方より長い斜面を表す。
２．  符号（２）は、それより短い斜面を表す。
【図１】
0003122792.tif 000003
【図２】
0003122792.tif 000004
【手続補正書】
【提出日】平成18年1月17日(2006.1.17)
【手続補正１】
【補正対象書類名】実用新案登録請求の範囲
【補正対象項目名】全文
【補正方法】変更
【補正の内容】
【実用新案登録請求の範囲】
【請求項１】
車が通る所に設置する障害物（バリア）で、片方（１）の斜面が、他方（２）の斜面より長い二つの斜面で構成される枕状の構造を有し、（１）の斜面には減速表示を設け、（２）の斜面には進入禁止等の表示を設け、表示内容と表示はいずれも交換可能なもので、夜間等の視認性も有する障害物である。
【請求項２】
上記の構造体は、新規のゴム等や樹脂製のみならず、リサイクル材料等も使用し、耐久性を有する特徴を持つ請求項１記載の障害物。
【請求項３】
上記の表示部は、発光ダイオード、その他視認性に優れ、耐久性等を特徴とする請求項１記載の障害物。
(57)【要約】【課題】  施工性に優れた専用ベースプレート、連結用鉄製パイプ、通しボルト及びコンクリート製台座、小柱、笠木からなる組立て式手摺を提供する。【解決手段】  上記の目的を達成した本発明の要旨とは、専用形状のベースプレートの上に形状の異なるコンクリート製部材をうまく組合わせて固定するので施工の省力化が図る事が出来るものである。【選択図】図１
0003122796.tif 000002
【実用新案登録請求の範囲】
【請求項１】
専用形状で複数個の固定用孔と共にボルト固定用ナットを同じ間隔に配置してなるベースプレートと形状の異なるコンクリート製台座と高さ、大きさ、長さの異なるコンクリート製小柱と小柱と小柱の間を同じ間隔に位置決め出来る鉄製パイプとベースプートと台座、小柱、鉄パイプの部材を介して通しボルトとナットで締結固定された後、前記鉄製パイプ上に笠木が固定金具を用いて固定され一体となることを特徴とする屋外用組立て式コンクリート製手摺構造
【考案の詳細な説明】
【技術分野】
【０００１】  本発明は、人が住むための家の屋外と家の周りの化粧囲い、一般の歩行者通路の部材として使われる手摺構造に関するものである。
【背景技術】
【０００２】  従来より屋外用建築物手摺には、種々のものが使用されている。その多くが金属製の笠木、小柱、台座が主である。例えば、特開２００５−１０５６１４号公報の従来技術項で紹介される様にバルコニーの手摺構造であって、アンカープレートに所定幅の管状アンカーを付設してなるアンカー部材を備えてなるの部材が使用されている
【考案の開示】
特許文献１
特開２００５−１０５６１４
【考案が解決しようとする課題】
【０００３】  このため、従来開発された上記のような手摺構造は、支柱毎に持金物を設置する必要があり位置決め取付けに手間が係り施工作業が複雑になりがちである。
【課題を解決しようとするための手段】
【０００４】  上記の目的を達成した本発明の要旨とは、構造物に固定した専用形状のベースプレートの上に異なるコンクリート製部材をニーズに合わせて組立が可能で手摺のバリーエーションを得る事が出来るものである。
【考案の効果】
【０００５】  以上述べたような本発明の手摺によれば構造物の上から固定するだけで台座、小柱が一定間隔に配置出来る専用ベースプレートを有しさら  に小柱の上部に規則的に孔の開いた鉄製パイプを載せて通しボルトで締結固定した後に笠木を固定金具で固定するだけで手摺が出来るため、現場施工が簡素化され，且つ今までにない質感と品質に優れた屋外用コンクリート製組立て式手摺を提供する事が出来る。
【考案を実施するための最良の形態】
【０００６】  以下、本発明の屋外用組立て式コンクリート製手摺構造について図面を参照しながら説明する。図１と図２の中のベースプレート１は、予め構造物の上に配置固定して置くだけで手摺部材を一定間隔に配置出来る様にしたものである。台座２は、ベースプレートを覆うと共に小柱３を載せる受台をなすものである。小柱３は、手摺構造上、安全を考慮して間隔を決めていて、ブロックで出来おり、さらにパイプを介した孔が開いているので組合わせが簡単に変える事が出来る。鉄製パイプ４は、小柱３の上部を一定の間隔に配置出来る孔を設けてありその孔には、補強用ガイドパイプがついており鉄製パイプを取付け金具で締結固定するときに鉄製パイプの変形を防ぐ役目もなしている。さらに、鉄製パイプを連結する固定孔と固定金具、鉄製パイプの両端を構造体に固定する固定孔と固定金具を有している。通しボルト５は、ベースプレート１、台座２、小柱３、鉄製パイプ４のそれぞれの孔を介して一体に締結固定するものである。笠木６は、鉄製パイプ４に載せて取付け金具で固定すると共に、笠木６を覆うものである。私が言うコンクリートとは、セメント、細骨材、粗骨材、水、混和剤を練混ぜて出来たコンクリート、それに補強用繊維を入れて出来た補強コンクリート、セメントと細骨材、水、混和剤を練混ぜて出来たモルタルとそれに補強用繊維を入れた補強モルタル、樹脂、細骨材、粗骨材、混和材を練混ぜて出来たレンコンクリートと樹脂、細骨材、混和材を練混ぜてレジンモルタルを言う。
【図面の簡単な説明】
【０００７】
【図１】  本発明の屋外用コンクリート製手摺構造の丸型小柱の一実施例の正面図を示す。
【図２】  本発明の屋外用コンクリート製手摺構造の丸型小柱の一実施例の断面図を示す。
【図３】  本発明の屋外用コンクリート製手摺構造の角型小柱の一実施例の正面図を示す。
【図４】  本発明の屋外用コンクリート製手摺構造の角型小柱の断面図を示す。
【符号の説明】
１ベースプレート
２台座
３小柱
４鉄製パイプ
５通しボルト
６笠木
【図１】
0003122796.tif 000003
【図２】
0003122796.tif 000004
【図３】
0003122796.tif 000005
【図４】
0003122796.tif 000006
(57)【要約】      （修正有）【課題】公衆トイレ等で用を足すときズボンを下ろすと裾が床につき汚れることがある。裾を折りまでたりしてもズボンの材質によってすぐにずり落ちる。本考案は、トイレ使用中にズボンの裾がずり落ちず、ズボンの裾を汚さない靴下を提供する。【解決手段】ズボンの裾が汚れなくて済むように靴下を膝下辺りから足首の所まで２枚重ねにする２枚目の部分を袋状にして上に持ち上げる。【選択図】図２
0003122794.tif 000002
【実用新案登録請求の範囲】
【請求項１】
靴下を２重構造にする。ただし、１枚目は普通の靴下ですが、２枚目はひざ下辺りから足首までとし、トイレ使用中にズボンの裾がずり落ちないように裾を包み込んで上に上げることが出来ることを特徴とする靴下。
【考案の詳細な説明】
【技術分野】
【０００１】  本考案は、トイレ時にズボンの裾が汚れない靴下に関するもの
【背景技術】
【０００２】  止め具付きバンド（登録実用新案第３０１０７３９号）等があるが、これは品物を持ち歩かなければならない為、荷物になる。そこで普通に履いていてトイレなどで用を足す時に使用すると便利な靴下を考案した。
【考案の開示】
【考案が解決しようとする課題】
【０００３】  旅行や出張等の時公衆トイレに入った時、ズボンの裾が床につき汚れることがある。そこで汚れないようにすることを解決しようと考えた。
【考案を解決するための手段】
【０００４】  靴下を２枚重ねにし、１枚目は普通の靴下ですが、２枚目はひざ下辺りから足首までで、トイレ使用中にズボンの裾がずり落ちないように裾を包み込んで上に上げる事ができるようにして解決する。
【考案の効果】
【０００５】  この靴下を使用することで、ズボンの裾がトイレの床に接触しないので衛生的である。
【考案を実施する為の最良の形態】
【０００６】  ２重構造にして２枚目の部分は上にひっくり返して袋状にできる。材質はナイロン・木綿・毛等適宣素材を使用し、冬は暖かく夏はメッシュも可。基部の所と２枚目の足首の辺りは、ゴム入りにする。
【実施例】
【０００７】  トイレ使用中にズボンの裾がずり落ちないように２枚目の部分で裾を包み込んで、上に上げることが出来る。（添付図面、図３）
【図面の簡単な説明】
【０００８】
【図１】普通に靴下を履いている状態。
【図２】トイレ使用時等の靴下の状態
【図３】ズボンを入れた状態
【符号の説明】
【０００９】１  基部
２  普段使用時の先端部
３  トイレ等使用時の先端部
【図１】
0003122794.tif 000003
【図２】
0003122794.tif 000004
【図３】
0003122794.tif 000005
【手続補正書】
【提出日】平成18年2月8日(2006.2.8)
【手続補正１】
【補正対象書類名】実用新案登録請求の範囲
【補正対象項目名】請求項１
【補正方法】変更
【補正の内容】
【請求項１】
（１）靴下を２重構造にする
（２）１枚目の靴下は普通の靴下と同じ状態
（３）２枚目は１枚目の靴下の上側ゴム部から足首までに重ねる（図１）
（４）トイレ使用中に２枚目の基部（図１−１）から足首部分（図１−３）までを上に上げて折り返しズボンの裾を包み込んで使用する
以上の構成からなるズボンの裾を汚さない靴下。
(57)【要約】【課題】腹巻の着用機会を高め、腹巻の着用効用をもって、心身ともに健康増進に寄与せんとするものであります。【解決手段】腹巻の着用機会を高めるため、腹巻の裏側面（接合部分除く）にファスナー付布袋を取付け、その布袋の裏面を「使い捨てカイロ（貼るタイプ）」を貼る箇所として使用する。よって、発熱源を具備した腹巻となり、腹巻の効能は十二分に発揮され、保温力は簡単に保持されるため、上着として着用することができる。なお、脱着しやすいように、円筒型ではなく帯状型とし、カギホックにて接合する。【選択図】図１
0003122799.tif 000002
【実用新案登録請求の範囲】
【請求項１】
腹巻の裏側面（接合部分は除く）に上部のみが腹巻に固定された（縫いこまれた）ファスナー付き布袋を設け、その布袋は裏面がめくれるように取り付けられ、その布袋の裏面に「使い捨てカイロ（貼るタイプ）」を貼り付ける。なお、その布袋が装着時にめくれて、まつわらないように布袋の下部の両端と中央部分の３箇所を腹巻の裏面とでスナップで固定し、かつ、取り外しができるようにして、使い捨てカイロ（貼るタイプ）の貼り替えが容易にできるようにしたポケット付上着型多目的腹巻。
【考案の詳細な説明】
【技術分野】
【０００１】本考案は、腹部の上部から腰部にかけて保温することで体を守る腹巻の改良に関するものである。
【背景技術】
【０００２】従来より、腹巻は保温用衣料品（下着）として保温を使用目的として老若男女が使用している。しかし、保温性と通気性は解決困難な問題として様々な試みがなされている。特に保温性の向上のために、種々の改良が加えられてきたが、保温性の向上の追及により保温力は高まったものの、蒸れる感じがして、通気性を欠くこととなり装着感がわるくなってしまう恐れがあり、なお、現在では、衣服の外観も重要なポイントでもあり、腹巻を着用したことによって、外観を損ねてしまう場合等もあり、ますます着用する機会が少なくなっている。
【考案の開示】
【考案が解決しようとする課題】
【０００３】本願考案は腹巻の着用機会を高めるため、保温効果を向上させ、利便性を備え使用意欲の高揚を起こし、心身ともに健康増進に寄与せんとするものである。
【課題を解決するための手段】
【０００４】本願考案は上記の問題を解決し、腹巻の着用機会を高めるため、考案されたものであり、請求項１記載考案は腹巻の裏側面（接合部分は除く）にファスナー付布袋を取りつけ、かつ、その袋の裏面を「使い捨てカイロ（貼るタイプ）」を貼る位置として使用する。
【考案の効果】
【０００５】従来の腹巻では体温を熱源とし、その保温のため下着として着用されている。本考案では熱源を「使い捨てカイロ（貼るタイプ）」に求めることができるので、上着として外部に着用することができる。よって、何時何処でも装着が容易にできるので、本考案により着用機会はますます増えることとなり、本来の腹巻の効用を得ることができ、心身の健康増進となる。
なお、ファスナー付布袋は旅行等外泊時に貴重品を収納保管するポッケットとして使用することができる。
【考案を実施するための最良の形態】
【０００６】本考案に係わる多目的腹巻は、腹巻の主要使用目的である「腹部並びに腰部の保温」を効果的にするため、図１のとおり腹巻本体の裏面（体に接する面）に縫い付けられているファスナー付布袋の裏面に「使い捨てカイロ（貼るタイプ）」を貼る箇所を備えてあり、必要に応じ位置・枚数を適宜調整して使用することができる。貼る箇所の布地の材質は何度も貼り替えすることに耐えられる素材であり、保温力・伸縮性のある素材を使用する。【０００７】ファスナー付布袋は、貴重品等を収納するためにファスナーにて開閉することが出来る。なお、収納物の厚みの状況に応じ腹巻サイズの調整が必要な場合は装着時に図２の符号４の３段階のカギホックにおいて適宜サイズ調整のうえ着用することができる。布袋は上部が腹巻に縫い込まれ固定されているが、裏面に「使い捨てカイロ（貼るタイプ）」を貼るため、めくれるようになっている。そのためにまつわってしまう不具合が生じてしまう恐れがある。よって、図３の符号７ないし８のスナップで止め、その不具合を解消する。【０００８】保温力は「使い捨てカイロ（貼るタイプ）」で維持することができるため、着用を下着から上着として使用が可能となる。腹巻本体の材質素材は伸縮性のあるものであればウールに限らず、ウールと化学繊維の混紡、または、夏期等暑い時期は木綿または、木綿と化学繊維の混紡と状況に応じ幅広く素材を選択する。なお、色、柄も無地から柄物と好みにより選択することができるようにして、図５に示すように腹巻上部に紐を通しウエストにしっかり止め付ける。紐は長めにして結び部分から垂らしたり、腹巻本体両端の接合部分以外の部分は腹巻本体の布地を接合部分の仕上がり巾の倍の巾の布地を使用し、ギャザーをよせ、接合部分の完成サイズと同じに縫製し、仕上げ、ファッション性を取り入れたデザインとして、使用できるようにする。【０００９】腹巻のサイズは、Ｓ，Ｍ、Ｌ、ＬＬ，ＬＬＬの段階をつけ、なおかつ、各段階においても、調整できるよう  図２に示すようにカギホックを取り付け、カギホックのメスの部分を３段階にして使用する。接合は前面ですることを前提とするが、側面または背面にて使用することもでき、「使い捨カイロ（貼るタイプ）」の貼る位置の調整により効果的になる位置にて接合し使用する。
【図面の簡単な説明】
【００１０】
【図１】  本願考案に係わる腹巻の裏面の平面図である。
【図２】  本願考案に係わる腹巻の表面の平面図である。
【図３】  本願考案に係わる腹巻の裏面の布袋の端をめくり、「使い捨てカイロ（貼るタイプ）」が貼られた状態の拡大した部分の部分平面図である。
【図４】  本願考案に係わる腹巻の斜視図である。
【図５】  本願考案に係わる腹巻を装着した装着図である。
【符号の説明】
【００１１】  １    ファスナー付き布袋（３区分）
２    ファスナー
３    カギホック（オス）
４    カギホック（メス）３列
５    使い捨てカイロ（貼るタイプ）が貼られた状態
６    紐
７    スナップ（オス）
８    スナップ（メス）
９    ファスナー付き布袋の区分のためのミシン縫目
１０    腹巻本体
１１    腹巻本体の接合部分
【図１】
0003122799.tif 000003
【図２】
0003122799.tif 000004
【図３】
0003122799.tif 000005
【図４】
0003122799.tif 000006
【図５】
0003122799.tif 000007
【手続補正書】
【提出日】平成18年3月16日(2006.3.16)
【手続補正１】
【補正対象書類名】実用新案登録請求の範囲
【補正対象項目名】全文
【補正方法】変更
【補正の内容】
【実用新案登録請求の範囲】
【請求項１】
腹巻の裏側面に上部のみが腹巻に固定されたファスナー付き布袋を設け、その裏面がめくれるように取付けられていることを特徴とするポッケット付上着型多目的腹巻。
【請求項２】
布袋の下部を腹巻の裏面に固定するためのスナップが取付けられていることを特徴とする請求項１記載のポッケット付上着型多目的腹巻。
【請求項３】
布袋の裏面に貼りつけ方式のカイロが貼着されていることを特徴とする請求項１または請求項２記載のポッケット付上着型多目的腹巻。
(57)【要約】      （修正有）【課題】機械の各錘毎に設置し且つ設定した定量の給糸量を各錘の紙管へ巻き取らせる装置であり、異種の糸を同時に巻き取らせることを可能とする装置を提供する。【解決手段】各機械の各錘毎に、巻取り部へ定量給糸する重量を測定する一台のデジタル電子秤と、定量給糸時に信号を一定時間ソレノイドへ送るＩＣ回路と、定量給糸終了後において巻取り部の運転を停止させるソレノイド装置を備え、個別的な定量入力を行なうことが可能な定量給糸装置とした。【選択図】図１
0003122723.tif 000002
【実用新案登録請求の範囲】
【請求項１】
各機械の各錘毎に、巻取り部へ定量給糸する重量を測定する一台のデジタル電子秤と、定量給糸時に信号を一定時間ソレノイドへ送るＩＣ回路と、定量給糸終了後において巻取り部の運転を停止させるソレノイド装置を備え、個別的な定量入力を行なうことを特徴とする定量給糸装置。
【考案の詳細な説明】
【技術分野】
【０００１】
本考案は重量測定により糸を定量に巻き直す装置に関し、より詳しくは糸の重量を測定する一台のデジタル電子秤と、定量給糸終了後において機械の運転を停止させるソレノイド部分と、それらを連結するスィチングタイマー機能を備えたＩＣ回路から構成され、ワインダーに装備する個別的な定量巻取り装置である。
【背景技術】
【０００２】
機械へ定量の糸を給糸するための前工程として、複数の巻取機の巻取り糸量を一括入力でき且つ、現在の巻取り糸量を表示できる操作部を設け、異なる秤にそれぞれ立設しているペグに回転自在に嵌挿した二つのチーズ巻き状の給糸パッケージの尻糸と口糸を結び二つの秤の測定重量を合算した定量の糸をスピンドルに嵌挿したパッケージ（パーン）に巻き返すパーンワインダに係る発明がある。
【特許文献１】特許第２９０７０７８号公報  図３参照
【考案の開示】
【考案が解決しようとする課題】
【０００３】
前記特許発明は、給糸重量を一括入力あるいは個別入力して定めた複数の糸を合糸するにあたっての巻取り装置であり、機械へ纏めて定量給糸するための前工程として給糸量を定めた複数の糸巻きを揃えておくことを目的とするものであり、機械毎に多品種少量生産するには適合しない。本考案は機械の各錘毎に設置し且つ設定した定量の給糸量を各錘の紙管へ巻き取らせる装置であり、異種の糸を同時に巻き取らせることを可能とする装置を提供することを目的とする。
【課題を解決するための手段】
【０００４】
ワインダーの各錘毎に、定量給糸する重量を測定する一台のデジタル電子秤と、定量給糸終了後においてワインダーの各錘の巻取り機の運転を停止させるソレノイド装置と、給糸重が設定値に達したときの信号をソレノイドに送りソレノイドを作動させ且つ一定時間後ソレノイドを待機状態に復元させるタイマーを備えたＩＣ回路を備えたのである。
【考案の効果】
【０００５】
本考案は各錘毎に設置し、且つ個別に一錘毎に設定した定量の糸を巻き直すことが可能であり、多品種の糸を同時に巻き直すのに好適な装置である。
【０００６】
要するに本考案は、糸巻き機（ワインダー）の各錘毎に所望の重量値を設定でき、出力端子を備えたデジタル電子秤を利用して一台の機械の一錘だけでも設置が簡単なのである。
【０００７】
従来の方法では糸の長さを測り換算して定量にするため誤差を生じていたが、本考案は糸を非接触で測定できるため、誤差が殆ど皆無となる。
【考案を実施するための最良の形態】
【０００８】
図１は本考案を示す側面図、図２は本考案において使用するデジタル電子秤とソレノイドを連動させるＩＣ回路図である。
【０００９】
デジタル電子秤１を床に設置した棚の上面に載置し、棚の下面にＩＣ回路を内蔵している筐体２を取り付ける。
【００１０】
デジタル電子秤１に糸Ｙが巻付けられた第１コーン３を載せ、第１コーン３の頭糸を糸が巻かれていない空の第２コーン５に取り付け、第１コーン３と第２コーン５の中間に糸道６を設けて糸Ｙを機械４へ給糸する。
【００１１】
筐体２内には直流１２Ｖから給電されるＮＡＮＤのＩＣ回路８を経てデジタル電子秤１へ２０Ｗの出力と、コンデンサ９を介してデジタル電子秤１のコンピュータへ入力し、次いでトランジスタ１１とダイオード１２を介してソレノイド５へ入力するタイマーのＩＣ回路１３を設けている。
【００１２】
ソレノイドは巻き取り部のもともとある糸切れ時停止アームに接触して動作させるように巻き取り部のギヤボックスに設置する。
【産業上の利用可能性】
【００１３】
一括して定量の糸を巻き取り部へ定量給糸を行なう装置とは異なり、別々の巻き取り部へそれぞれ設定重量に秤量した糸を給糸するため多品種少量生産ができる現場生産に適している。
【図面の簡単な説明】
【００１４】
【図１】本考案を示す側面図。
【図２】本考案において使用するデジタル電子秤とソレノイドを連動させるＩＣ回路図。
【符号の説明】
【００１５】
１  デジタル電子秤  ２  筐体  ３  第１コーン  ４  機械
５  第２コーン  ７  ソレノイド  ８、１３  ＩＣ回路
【図１】
0003122723.tif 000003
【図２】
0003122723.tif 000004
(57)【要約】【課題】使用者の上部の筋肉群を運動させるステップ運動用具を提供する。【解決手段】ベース１０と、それぞれが駆動軸１２でベース１０に枢軸的に設置されている湾曲した前部２１を有する一組のフットサポート２０と、フットサポート２０の間に枢軸的に連結されているレバー２２と、フットサポート２０とベース１０との間に枢軸的に連結されている一組の作動装置３０とを有する。作動装置３０は、それぞれフットサポート２０の側部２６に枢軸的に設置されている上端部３２と、ベース１０の後部に枢軸的に設置されている下端部３１とを有する。１個以上の弾力のあるワイヤーまたはケーブルが選択的にベース１０に連結され、使用者の上部の筋肉群を運動させる。【選択図】図１
0003122727.tif 000002
【実用新案登録請求の範囲】
【請求項１】
ベース（１０）と、それぞれが駆動軸（１２）でベース（１０）に枢軸的に設置されている湾曲した前部（２１）を有する一組のフットサポート（２０）と、フットサポート（２０）の間に枢軸的に連結されているレバー（２２）と、フットサポート（２０）とベース（１０）との間に枢軸的に連結されている一組の作動装置（３０）とを有し、
作動装置（３０）はそれぞれフットサポート（２０）の側部（２６）に枢軸的に設置されている上端部（３２）と、ベース（１０）の後部に枢軸的に設置されている下端部（３１）とを有することを特徴とするステップ運動用具。
【請求項２】
ベース（１０）は、柱（１１）を有し、作動装置（３０）の下端部（３１）は柱（１１）の側部（１５）に枢軸的に設置され、計器（１４）はベース（１０）に設置され、ベース（１０）はポスト（１３）を有し、レバー（２２）はポスト（１３）に枢軸的に設置され、少なくとも１個の弾力のあるケーブル（４０）がベース（１０）に接続されていることを特徴とする請求項１記載のステップ運動用具。
【考案の詳細な説明】
【技術分野】
【０００１】
本考案は、運動用具のフットペダルに対する抵抗力を効果的に作動する作動装置を含むステップ運動用具を提供する。
【背景技術】
【０００２】
従来、抵抗を有するフットペダルを重力方向の上下へ往復移動させることにより、筋肉を増強するステップ運動用具が知られている。
【考案の開示】
【考案が解決しようとする課題】
【０００３】
本考案の目的は、使用者の上部の筋肉群を運動させるステップ運動用具を提供することにある。
【課題を解決するための手段】
【０００４】
本考案は、ベースと、それぞれが駆動軸でベースに枢軸的に設置されている湾曲した前部を有する一組のフットサポートと、フットサポートの間に枢軸的に連結されているレバーと、フットサポートとベースとの間に枢軸的に連結されている一組の作動装置とを有し、作動装置はそれぞれフットサポートの側部に枢軸的に設置されている上端部と、ベースの後部に枢軸的に設置されている下端部とを有することを特徴とする。
【考案を実施するための最良の形態】
【０００５】
図１から図７に示すように、本考案の一実施例によるステップ運動用具は、柱１１を含むベース１０と、柱１１の前で柱１１に垂直に配置されている駆動軸１２と、計器１４を支持するためにベース１０の前部に配置されているポスト１３（図７）とを有する。それぞれの一組のフットサポート２０は、駆動軸１２に枢軸的に設置されている湾曲した前部２１と、ポスト１３またはベース１０に枢軸的に設置され、フットサポート２０の間に枢軸的に連結するためにフットサポート２０の底部２４に結合している２個の端部２３を有するレバー２２（図４）と、それぞれのフットサポート２０の頂部に設置されているフットペダル２５とを有する。
【０００６】
一組のシリンダーまたは作動装置３０は、それぞれ柱１１の側部１５に枢軸的に設置されている下端部３１と、それぞれのフットサポート２０の内側部２６に枢軸的に設置されている上端部３２とを有し、フットサポート２０の前部または中央部と柱１１またはベース１０の後部との間に連結している。
【０００７】
フットサポート２０の側部２６に対する作動装置３０の上端部３２のアタッチメントは典型的なステップ運動用具と比べて作動装置３０の作動ストロークが増加し、作動装置３０はフットサポート２０と柱１１またはベース１０との間に連結され、フットサポート２０に対する抵抗力を効果的に提供する。
図８に示すように、１個以上の弾力のあるワイヤーまたはケーブル４０が選択的にベース１０に連結され、使用者の上部の筋肉群を運動させる。
【図面の簡単な説明】
【０００８】
【図１】本考案の一実施例によるステップ運動用具を示す斜視図である。
【図２】本考案の一実施例によるステップ運動用具を示す斜視図である。
【図３】本考案の一実施例によるステップ運動用具を示す斜視図である。
【図４】本考案の一実施例によるステップ運動用具を示す斜視図である。
【図５】本考案の一実施例によるステップ運動用具を示す側面図である。
【図６】本考案の一実施例によるステップ運動用具を示す側面図である。
【図７】本考案の一実施例によるステップ運動用具を示す側面図である。
【図８】本考案の一実施例によるステップ運動用具を示す模式図である。
【符号の説明】
【０００９】
１０  ベース、１２  駆動軸、２０  フットサポート、２１  湾曲した前部、２２  レバー、２６  側部、３０  作動装置、３２  上端部、３１  下端部
【図１】
0003122727.tif 000003
【図２】
0003122727.tif 000004
【図３】
0003122727.tif 000005
【図４】
0003122727.tif 000006
【図５】
0003122727.tif 000007
【図６】
0003122727.tif 000008
【図７】
0003122727.tif 000009
【図８】
0003122727.tif 000010
(57)【要約】【課題】  マットに冷気の遮断及び快適性を持たせ、高強度で且つ容易に運べる軽量な物にすることにある。【解決手段】  断熱材１、２はハニカム構造（六角形構造）を有する形状であり、六角形の内側は空洞となっており深さを持っている構造である、この断熱材１、２の六角形の立ち上がり平面部に建築資材用接着剤を塗布し、断熱材１にもう１枚の上下反転した断熱材２を、互いに重なるよう位置を確認し全面プレスにて加圧接着し、上面部に同接着剤でマット３を張り合わせたものを特徴とする。【選択図】図１
0003123278.tif 000002
【実用新案登録請求の範囲】
【請求項１】
高強度、軽量なハニカム構造（六角形構造）のリサイクル紙１００％使用の板材２枚張り合わせ、表面にマットを張ることを特徴とする防寒マット。
【請求項２】
前記板材２枚張り合わせることによりハニカム構造（六角形構造）の空気層が大きく設けられ外部からの冷感を遮断することを特徴とする防寒マット。
【請求項３】
前記板材はリサイクル紙を１００％使用しております、又長期使用後劣化した場合、再度リサイクル紙として使用出来る省資源効果を特徴とする防寒マット。
【考案の詳細な説明】
【技術分野】
【０００１】  本考案は、屋内屋外に使用される防寒マットに関する。
【背景技術】
【０００２】  従来、屋内屋外で使用されているマットは厚さ、大きさ材質等様々な単体の物を敷きならべ使用しているが、冷気の遮断、快適性に優れたものではない。
【考案の開示】
【考案が解決しようとする課題】
【０００３】  厚いマットを敷きならべて使用しても冷気の遮断には限界があり快適性の確保は難しい、又マットの下にシート等を敷いても効果は薄い。【０００４】  本考案は、このような点に鑑みて成されたものであり、その目的は、マットに冷気の遮断及び快適性を持たせ、高強度で且つ容易に運べる軽量な物にすることにある。
【考案が解決するための手段】
【０００５】  上述の目的を達成する本考案の防寒マットはリサイクル紙１００％使用の断熱材に、平面広さ１ｍ２当り２１３５個のハニカム構造（六角形構造）を有する形状に成型し、１枚を上下反転させ２枚張り合わせ、表面にマットを張ることを特徴とする。
【考案の効果】
【０００６】  以上説明したように本考案によれば、高強度を有する最良の構造であるハニカム構造（六角形構造）の断熱材を２枚張り合わせることにより中間の空気層が大きく設けられ床、地面からの冷気を遮断し断熱効果をもたせること及び軽量化が可能となり容易に運搬ができ、又表面にマットを張ることにより快適に使用出来ることである。
【考案を実施するための最良の形態】
【０００７】  以下、本考案の実施の形態を図面に基づき詳細に説明する。【０００８】  図１〜図５は本考案の第１の実施の形態に係り、図１はその外観斜視図、図２はその中央部の縦断詳細面図、図３はその断熱材の詳細平面図、図４はその断熱材の縦断詳細面図、図５はそのマットの平面図である。【０００９】  図１、図２に示すように、断熱材１にもう１枚の上下反転した断熱材２を建築資材用接着剤で張り合わせ、上面部に同接着剤でマット３を張り合わせたものである。【００１０】  図３、図４に示すように、断熱材１、２はハニカム構造（六角形構造）を有する形状であり、六角形の内側は空洞となっており深さを持っている構造である。【００１１】  断熱材１、２の張り合わせについては、六角形の立ち上がり平面部に建築資材用接着剤を塗布し、互いに重なるよう位置を確認し全面プレスにて加圧接着をするものである。【００１２】  マット３の張り合わせについては、断熱材同様、建築資材用接着剤を塗布し全面プレスにて加圧接着をするものである。【００１３】  通常マットの使用状態は単体もしくはシート等を下に敷いいて使用している。【００１４】  上記の接着構造に示すように、設置面を受ける底面部その上部の空気層その上部の平面部、再上部のマットとなる４層構造の断熱マットである。【００１５】  断熱材１、２及びマット３、建築資材用接着剤は、共に引火性が低く安全に使用することが可能である。また、水分の吸収性もよく乾燥時間も早いものである。
【実施例】
【００１６】  断熱マットは、一般の畳の大きさである（１畳）Ｗ１８２０ｍｍ×Ｈ９１０ｍｍ×Ｄ２４ｍｍの寸法を有しております。尚御希望のサイズでの製作も可能です。【００１７】  以上、本考案の実施の形態及び実施例を説明したが、本考案の範囲はこれに限定されるものではない。例えば、サイズの大きさ厚さ、又はマットの種類等は、状況に応じて適宜選択されるものである。
【産業上の利用可能性】
【００１８】  本考案は屋内屋外に問わず、マット及び断熱材を製造、販売する産業分野で利用することができる。
【図面の簡単な説明】
【００１９】
【図１】  本考案の第１の実施の形態に係る防寒マットの外観斜視図である。
【図２】  図１の防寒マットの中央部の縦断詳細面図である。
【図３】  図１の断熱材の詳細平面図である。
【図４】  図１の断熱材の縦断詳細面図である。
【図５】  図１のマットの平面図である。
【符号の説明】
【００２０】  １、２          断熱材
３              マット
４              空気層
【図１】
0003123278.tif 000003
【図２】
0003123278.tif 000004
【図３】
0003123278.tif 000005
【図４】
0003123278.tif 000006
【図５】
0003123278.tif 000007
【手続補正書】
【提出日】平成18年3月31日(2006.3.31)
【手続補正１】
【補正対象書類名】実用新案登録請求の範囲
【補正対象項目名】全文
【補正方法】変更
【補正の内容】
【実用新案登録請求の範囲】
【請求項１】
高強度、軽量なハニカム構造（六角形構造）のリサイクル紙１００％使用の板材２枚張り合わせ、表面にマットを張ることを特徴とする防寒マット。
【請求項２】
冷感を遮断することを特徴とする請求項１記載の防寒マット。
【請求項３】
省資源効果を特徴とする請求項１記載の防寒マット。
(57)【要約】【課題】簡単に程よく締めることのできる帯を提供する。【解決手段】帯の主要前柄を、手端から胴回り半周分の長さと太鼓結び用の手部の長さとの和の長さ隔たった位置に設ける。【選択図】図２
0003123279.tif 000002
【実用新案登録請求の範囲】
手端から胴回り半周分の長さと太鼓結び用の手部の長さの和の長さ隔たった位置に主要前柄を設けたことを特徴とする柄帯。
【考案の詳細な説明】
【図面の簡単な説明】
【図１】この考案による柄帯の平面図
【図２】この考案による柄帯の平面図
【図３】この考案による帯を締める様子を示す立面図である。
【図４】この考案による帯を締める様子を示す立面図である。１………………手部  １?１  ………手端  ２………………たれ部２?１  ………たれ端  ４………………主要前柄
【図１】
0003123279.tif 000003
【図２】
0003123279.tif 000004
【図３】
0003123279.tif 000005
【図４】
0003123279.tif 000006